(57)【要約】【課題】携帯端末からのバッテリ切れによるデータ送信中断リスクを低減する。【解決手段】データ受信要求を行う携帯端末２（１）、２（２）・・・からのバッテリ容量を含む電源供給デバイス情報を受信する手段と、前記電源供給デバイス情報を基に、データ受信中の携帯端末２（１）とデータ受信要求を行った他の携帯端末の２（２）のバッテリ容量を比較して、バッテリ容量の少ない携帯端末２（２）からのデータ受信を優先させるようデータ受信制御を行う印刷要求受付管理部７と、を有し、印刷要求受付管理部７は、携帯端末２（２）のバッテリ容量がデータ受信中の携帯端末２（１）のバッテリ容量よりも少ないとき、前記受信中の携帯端末２（１）からのデータの受信を一旦停止し、携帯端末２（２）からのデータ受信を開始するようデータ受信先を切り替える。【選択図】          図１
2014037094.tif 000002
【特許請求の範囲】
【請求項１】
データ受信要求を行う携帯端末からのバッテリ容量を含む電源供給デバイス情報を受信する手段と、
前記電源供給デバイス情報を基に、データ受信中の携帯端末とデータ受信要求を行った他の携帯端末のバッテリ容量を比較して、バッテリ容量の少ない携帯端末からのデータ受信を優先させるようデータ受信制御を行う制御手段と、を有し、
前記制御手段は、前記他の携帯端末のバッテリ容量がデータ受信中の携帯端末のバッテリ容量よりも少ないとき、前記データ受信中の携帯端末からのデータ受信を一旦停止し、前記他の携帯端末からのデータ受信を開始するようデータ受信先を切り替えることを特徴とする画像処理装置。
【請求項２】
請求項１に記載された画像処理装置において、
前記制御手段は、データ受信先の切り替えを行う際に、切り替え前の携帯端末からのデータの受信データ残量を取得し、前記残量が所定の閾値を下回ると判断したときは前記切り替えを行わず、前記受信中の携帯端末からのデータ受信を継続するようデータの受信制御を行うことを特徴とする画像処理装置。
【請求項３】
請求項２に記載された画像処理装置において、
前記閾値の変更を行う閾値変更手段を備えたことを特徴とする画像処理装置。
【請求項４】
請求項１ないし３のいずれかに記載された画像処理装置において、
前記データは印刷データであり、印刷出力処理を印刷データ受信要求の受付順序に従って行うことを特徴とする画像処理装置。
【請求項５】
請求項４に記載された画像処理装置において、
印刷出力処理を印刷データ受信要求の受付順序に従って行うか、印刷データ受信完了順に行うかいずれかを選択する手段を備えたことを特徴とする画像処理装置。
【請求項６】
請求項１ないし５のいずれかに記載された画像処理装置と、複数の携帯端末とからなる画像処理システム。
【請求項７】
画像処理装置における画像処理方法であって、
データ受信要求を行う携帯端末からのバッテリ容量を含む電源供給デバイス情報を受信する工程と、
前記電源供給デバイス情報を基に、データ受信中の携帯端末とデータ受信要求を行った他の携帯端末のバッテリ容量を比較して、バッテリ容量の少ない携帯端末からのデータ受信を優先させるようデータの受信制御を行う制御工程と、を有し、
前記制御工程では、前記他の携帯端末のバッテリ容量がデータ受信中の携帯端末のバッテリ容量よりも少ないとき、前記データ受信中の携帯端末からのデータ受信を一旦停止し、前記他の携帯端末からのデータ受信を開始するようデータ受信先を切り替えることを特徴とする画像処理装置における画像処理方法。
【発明の詳細な説明】
【技術分野】
【０００１】
本発明は画像処理装置、画像処理システム及び画像処理装置における画像処理方法に関する。
【背景技術】
【０００２】
近年、ネットワークを介して印刷要求を行う端末は、ホストシステムやサーバだけでなく、例えばラップトップ型のいわゆるノートＰＣ（Personal Computer）やその他の携帯端末など多様なデバイスが登場している。
【０００３】
例えば、ノートＰＣは可搬性の観点からオフィス内でも業務用に使用していることが多く、ユーザは自身が作成した資料をノートＰＣに保管して外出し、外出先で資料の細部の修正や内容のアップデートを行うことも多い。その際、アップデートした資料を、常に屋内に設置されている画像処理装置で印刷処理するとは限らず、例えば外出先からインターネットを介して仮想ネットワーク通信などを使用して印刷指示を行うことで、帰社後、例えば、印刷済みの資料を使用した打ち合わせを即座に実施することができる。
【０００４】
ところで、ノートＰＣ等携帯端末の電源は、内蔵バッテリとコンセントで商用電源を利用する２電源方式のものがあるが、バッテリの場合、使用に伴ってその容量が低減していく結果、例えば、印刷データをプリントのため画像処理装置に送信中にバッテリ切れのために送信が中断されることが起こり得る。
【０００５】
また、ノートＰＣや携帯端末のバッテリ切れ対策としては、バッテリ駆動中の携帯端末による情報処理（例えば無線携帯端末によるクレジットカード決済など）中に、携帯端末のバッテリ切れによって処理が中断することによる問題の発生を抑制するため、携帯端末のバッテリ残量が、設定された警告レベルまで低下しているときは、特定の情報処理をユーザに禁止し、バッテリの充電を促すようにしたバッテリ駆動式情報処理端末が知られている（特許文献１参照）。
【０００６】
特許文献１に記載されたバッテリ駆動式情報処理端末は、携帯端末のバッテリ残容量を監視し、残容量が低下している場合は通常とは異なる処理を行う。
しかし、特許文献１に記載された発明では、携帯端末から画像処理装置に印刷データを送信する場合等において、他の携帯端末から当該画像処理装置に印刷データを送信している場合は、つねにその送信が終了するまで待たなければならず、バッテリ容量が少なくなっている場合には、待機後に実際に印刷データを送信する段階で、バッテリ切れが発生するリスクが増大する。
つまり、従来の画像処理装置では、データの送信時にバッテリで駆動される携帯端末のバッテリの容量を考慮した送信処理はなされていない。そのため、バッテリ切れによる送信の中断のリスク管理が十分とは云えない。
【発明の概要】
【発明が解決しようとする課題】
【０００７】
本発明は、上記従来の問題に鑑みてなされたものであって、その目的は、バッテリ容量が低減した携帯端末からのデータを優先して受け付けることで、バッテリ切れによるデータ送信中断リスクを低減することである。
【課題を解決するための手段】
【０００８】
本発明は、データ受信要求を行う携帯端末からのバッテリ容量を含む電源供給デバイス情報を受信する手段と、前記電源供給デバイス情報を基に、データ受信中の携帯端末とデータ受信要求を行った他の携帯端末のバッテリ容量を比較して、バッテリ容量の少ない携帯端末からのデータ受信を優先させるようデータ受信制御を行う制御手段と、を有し、前記制御手段は、前記他の携帯端末のバッテリ容量がデータ受信中の携帯端末のバッテリ容量よりも少ないとき、前記データ受信中の携帯端末からのデータ受信を一旦停止し、前記他の携帯端末からのデータ受信を開始するようデータ受信先を切り替えることを特徴とする画像処理装置である。
【発明の効果】
【０００９】
携帯端末、とくにバッテリ容量が低減した携帯端末からのデータを優先して受け付けることで、バッテリ切れによるデータ送信中断リスクを低減することができる。
【図面の簡単な説明】
【００１０】
【図１】本発明の実施形態に係る画像処理装置を含む印刷システムを概略的に説明する図である。
【図２】画像処理装置の印刷要求受付管理部が持つ受付情報テーブルについて説明する図である。
【図３】画像処理装置の印刷データ受信管理部が持つ印刷データ受信テーブルについて説明する図である。
【図４】画像処理装置の印刷要求受付管理部の印刷データ受信優先度の決定処理手順について説明するフロー図である。
【図５】画像処理装置の印刷データ受信管理部の印刷データ受信処理について説明するフロー図である。
【発明を実施するための形態】
【００１１】
次に、本発明の実施の形態について添付図面を参照して説明する。
図１は、本発明の実施形態に係る画像処理装置を含む印刷システムを概略的に説明する図である。
本実施形態に係る印刷システムは、画像処理装置１と、画像処理装置１にデータを送信するバッテリ駆動で動作中の携帯端末２（１）、２（２）・・・とから成っている。
なお、前記データは、画像処理装置において何らかのジョブを実行するためのデータであって、本実施形態では印刷データを例に採って説明する。
また、携帯端末２（１）、２（２）・・・は、ここではグラフィカルユーザインタフェース（ＧＵＩ）を備え、無線通信機能を搭載する情報処理装置であって、ノート型ＰＣ、ＰＤＡ（Personal Digital Assistants）、ＵＭＰＣ（Ultra Mobile PC）、携帯電話機等を含む。
【００１２】
画像処理装置１は、画像処理装置１のネットワークＩ／Ｆ（インタフェース）部４と、それぞれネットワークＩ／Ｆ部内にある携帯端末より電源供給デバイス情報を受信するための電源供給デバイス情報受信用ネットワークポート５及び印刷データを受信するための印刷データ受信用ネットワークポート６と、携帯端末２（１）、２（２）・・・より印刷要求を受け付ける印刷要求受付管理部７と、印刷要求受付管理部内に保持されている受付情報テーブル８と、印刷データを受け付ける印刷データ受信管理部９と、印刷データ受信管理部内に保持されている印刷データ受信テーブル１０と、受信した印刷データを格納する印刷データ格納部１１と、実際の印刷処理を実行する印刷管理部１２を備えている。
【００１３】
また、携帯端末２（１）、２（２）・・・には、プリンタドライバ３がインストールされており、プリンタドライバ３は、画像処理装置へ後述する電源供給デバイス情報と印刷データを送信する機能を有している。
なお、画像処理装置１の印刷要求受付管理部７及び印刷データ受信管理部９は、本発明のデータ受信制御を行う制御手段を構成する。
【００１４】
次に、本実施形態に係る印刷システムにおいて、１つの携帯端末からデータ、例えば印刷データを送信する際の動作について説明する。
携帯端末２（１）が印刷を実施する場合、携帯端末２（１）のプリンタドライバ３は、画像処理装置１への印刷データ送信前に、自身のＯＳ(Operating System)に対して自身の電源供給デバイスが、バッテリかコンセントかを確認する。電源供給デバイスがバッテリの場合には更に現在のバッテリ容量、ここでは充電率を確認する。
【００１５】
携帯端末２（１）のプリンタドライバ３は、確認したバッテリ充電率を含む電源供給デバイス情報を印刷データ送信前に画像処理装置１の電源供給デバイス情報受信用ネットワークポート５に送信する。その後、続いて画像処理装置１の印刷データ受信用ネットワークポート６に印刷データを送信する。
電源供給デバイス情報受信用ネットワークポート５で受信した電源供給デバイス情報は印刷要求受付管理部７が処理を行い、印刷データ受信用ネットワークポート６で受信した印刷データは、印刷データ受信管理部９が処理を行う。それらの処理の詳細は図４、図５を参照して後述する。なお印刷データは記憶手段である印刷データ格納部１１に格納する。
【００１６】
全ての印刷データを印刷データ格納部１１に格納後、印刷データ受信管理部９は、印刷可能なデータが存在することを印刷管理部１２に通知する。印刷管理部１２はその通知を基に印刷を開始する。
【００１７】
次に、本実施形態に係る画像処理装置１の印刷要求受付管理部７が持つ受付情報テーブル８について説明する。
図２は、画像処理装置１の印刷要求受付管理部７が持つ受付情報テーブル８について説明する図である。
受付情報テーブル８には、携帯端末２（１）、２（２）・・・のプリンタドライバ３が画像処理装置１に報告する受付番号、電源供給デバイス情報、充電率（％）、携帯端末機種固体情報の４つの情報が登録される。
【００１８】
受付番号は、携帯端末２（１）、２（２）・・・のプリンタドライバ３が非同期で送信する電源供給デバイス情報と印刷データを紐付けするための情報であり、ここでは４桁の数字で示される。プリンタドライバ３は印刷データを印刷データ受信用ネットワークポート６に送信する際にもこの番号を報告する。
電源供給デバイス情報は、携帯端末２（１）、２（２）・・・の電源供給デバイスを示すもので、バッテリとコンセントの２種類の情報のいずれかである。
【００１９】
充電率は当該携帯端末２（１）、２（２）・・・のバッテリの充電率を示す。なおプリンタドライバ３はコンセント接続の場合でも充電率を１００％とする。
携帯端末機種個体情報は、携帯端末２（１）、２（２）・・・を特定するため、付与された各携帯端末２（１）、２（２）・・・毎に割り当てられたユニークな情報であって、例えば携帯端末２（１）、２（２）・・・のＭＡＣアドレス（Media Access Control address）などである。
【００２０】
次に、本実施形態に係る画像処理装置１の印刷データ受信管理部９が持つ印刷データ受信テーブル１０について説明する。
図３は、画像処理装置１の印刷データ受信管理部９が持つ印刷データ受信テーブル１０について説明する図である。
印刷データ受信テーブル１０には、携帯端末２（１）、２（２）・・・のプリンタドライバ３が画像処理装置１に送信する受付番号と携帯端末機種個体情報、および印刷データ受信管理部９が管理する印刷データ状態情報と印刷データ格納エリア開始アドレスがそれぞれ登録される。
【００２１】
受付番号と携帯端末機種個体情報は図２に示す電源供給デバイス情報に付加されたものと同じであり、プリンタドライバ３は印刷データとともにこれらの情報を画像処理装置１に報告する。
印刷データ状態情報は、各携帯端末２（１）、２（２）・・・が一旦停止中か、受信開始待ちか、受信完了かの状態を表す情報であり、印刷データ状態情報と印刷データ格納エリア開始アドレスは、画像処理装置１が印刷データを受信した際に印刷データ受信管理部９が登録する。
【００２２】
次に、画像処理装置１がある携帯端末、例えば携帯端末２（１）からの印刷データ受信中に、他の携帯端末、例えば携帯端末２（２）から電源供給デバイス情報を受信した場合に行う、印刷データ受信優先度の決定処理フローについて説明する。
図４は、携帯端末２（１）からの印刷データ受信中に、他の携帯端末２（２）から印刷要求を受けた場合の、画像処理装置１の印刷要求受付管理部７の印刷データ受信優先度の決定処理手順について説明するフロー図である。
【００２３】
画像処理装置１が、携帯端末２（１）から印刷データを受信中に、携帯端末２（２）から電源供給デバイス情報を受信すると、印刷要求受付管理部７は受付情報テーブル８に図２に示す情報（即ち、受付番号、電源供給デバイス情報、充電率、携帯端末機種個体情報）を登録し（Ｓ１００）、その後、印刷データ受信管理部９に対して印刷データ受信の一時停止を指示する（Ｓ１０１）。続いて携帯端末２（２）以外からの受信の有無を確認する（Ｓ１０２）。ここでは、携帯端末２（１）から既に受信を開始しているため、前記携帯端末２（２）以外の携帯端末からのデータ受信有りとなり（Ｓ１０２、ＹＥＳ）、ステップＳ１０３以降の印刷データ受信優先度決定処理が順次実行される。
【００２４】
ステップＳ１０３において、印刷要求受付管理部７は、受付情報テーブル８に格納された携帯端末２（２）の電源供給デバイス情報を確認する。ここで、携帯端末２（２）の電源供給デバイスがコンセントであれば（Ｓ１０３、ＮＯ）、バッテリ切れによる印刷データの送信中断エラーは発生しないため、携帯端末２（１）の印刷データ受信を継続するよう、印刷データ受付優先設定フラグに携帯端末２（１）をセットする（Ｓ１１３）。
本実施形態では携帯端末２（２）はバッテリ動作中であるため（Ｓ１０３、ＹＥＳ）、続いてステップＳ１０４の判定が行われる。
【００２５】
ステップＳ１０４では、受付情報テーブル８に登録されている他のレコード（記録項目）を参照する。本実施形態では、携帯端末２（１）の情報が受付情報テーブル８に登録されているため、印刷要求受付管理部７は、受付情報テーブル８から携帯端末２（１）の電源供給デバイスがバッテリであることを確認する（Ｓ１０４、ＹＥＳ）。続いてステップＳ１０５において携帯端末２（１）、２（２）のバッテリ容量（ここでは充電率）を比較し、充電率の低い方の印刷データ受信を優先する。本実施形態では携帯端末２（２）の充電率の方が２０％程低い（Ｓ１０５、ＮＯ）ため、印刷要求受付管理部７は、印刷データ受付優先設定フラグに携帯端末２（２）をセットし（Ｓ１０６）、印刷データ受信管理部９へ印刷データ受付指示を送信する（Ｓ１０７）。
【００２６】
なお、前記携帯端末２（２）以外の携帯端末からデータ受信中でなければ（Ｓ１０２、ＮＯ）、次に説明するステップＳ１０３からＳ１０５をスキップしてＳ１０６へ移行し、また、ステップＳ１０４で電源供給デバイスがバッテリでない、つまりコンセントであるときも（Ｓ１０４、ＮＯ）、ステップＳ１０６へ移行して以降の処理を行う。
ステップＳ１０５で携帯端末２（１）の充電率が携帯端末２（２）のそれよりも小さいときは（Ｓ１０５、ＹＥＳ）、印刷データ受付優先設定フラグに携帯端末２（１）をセットする（Ｓ１１３）。
【００２７】
印刷要求受付管理部７は、ステップＳ１０７で印刷データ受信管理部９へ印刷データ受付指示を送信した後、印刷データ受信管理部９からの印刷データ受信完了通知を受信していないときは（Ｓ１０８、ＮＯ）、次に、新規に電源供給デバイス情報の受信の有無を確認する（Ｓ１０９）。ここで、新規に電源供給デバイス情報を受信したときは（Ｓ１０９、ＹＥＳ）、ステップＳ１００へ戻り再度優先順位の決定処理を実施する。新規受信がなければ（Ｓ１０９、ＮＯ）、ステップＳ１０８に戻る。
ステップＳ１０８で、印刷データ受信管理部９より印刷データ受信完了通知が通知されたときは（Ｓ１０８、ＹＥＳ）、印刷要求受付管理部７は、受付情報テーブル８の電源供給デバイス情報を含む当該レコードを削除する（Ｓ１１０）。
【００２８】
印刷要求受付管理部７は、前記レコード削除後、受付情報テーブル８を参照して受付情報テーブル８に未受信データの情報が有るか否かを確認し（Ｓ１１１）、受信があるときは（Ｓ１１１、ＹＥＳ）、ステップＳ１０４からの処理を再開する。
ステップＳ１１１の受付情報テーブル８に未受信データの情報が有るか否かの確認において、未受信データの情報がなければ（Ｓ１１１、ＮＯ）、新しい電源供給デバイス情報の受信待ちとなる（Ｓ１１２）。ここで、新しい電源供給デバイス情報、つまり未受信データの情報の受信があれば（Ｓ１１２、ＹＥＳ）、スタートに戻り上記の処理を行う。
【００２９】
以上の説明において、ステップＳ１０５の印刷データ受信の優先度の判定では、携帯端末２（１）、２（２）・・・のバッテリ充電率のみで優先度の判定を行っているが、本判定の後、印刷要求受付管理部７が印刷データ受信管理部９から印刷データの受信データ残量を確認し、殆ど受信が終わっているのであれば、優先する印刷データの受信順序を変更しないで継続して受信を進めることもできる。
【００３０】
図５は、携帯端末２（１）からの印刷データ受信中に、携帯端末２（２）から印刷データ受信要求を受けた場合の、画像処理装置１の印刷データ受信管理部９の印刷データ受信処理について説明するフロー図である。
印刷データ受信管理部９は、携帯端末２（１）とのネットワーク接続を開始して（Ｓ２００）、その後携帯端末２（２）からの印刷データ受信要求を受けたときは（Ｓ２０１）、ネットワーク通信回線は開くものの、印刷データの受信は開始しないまま携帯端末２（１）の印刷受信を継続する。但し、本実施形態では、既に携帯端末２（２）からの印刷データ受信要求が来ていることから、携帯端末２（１）の受信データを受信中に、一定間隔で印刷要求受付管理部７からの印刷データ受信中断要求（又は受信停止指示）の有無を確認する（Ｓ２０２）。
【００３１】
その後、印刷要求受付管理部７からの印刷データ受信中断要求（又は受信停止指示）の受信を確認したときは（Ｓ２０２、ＹＥＳ）、印刷データ受信管理部９は、携帯端末２（１）からの印刷データの受信を一旦停止して（Ｓ２０３）、携帯端末２（１）に対して、データ受信ができない旨を通知する。但し、ここでは携帯端末２（２）との通信と同様にネットワーク通信回線は開いたままの状態を保持する。その後、印刷要求受付管理部７からの受信開始指示、つまり印刷要求受付管理部７の印刷データ受信優先度決定処理の終了を待つ（Ｓ２０４、ＮＯ）。
【００３２】
携帯端末２（１）のデータ受信の継続が通知され、即ち、印刷要求受付管理部７からの受信開始指示があり（Ｓ２０４、ＹＥＳ）、その受信開始指示が携帯端末２（２）からのデータの受信でないときは（Ｓ２０５、ＮＯ）、そのまま携帯端末２（１）からの印刷データ受信を継続する（Ｓ２０６）。そして、全ての印刷データの受信が完了した後（Ｓ２０７、ＹＥＳ）、印刷要求受付管理部７に対して印刷データ受信完了を報告し（Ｓ２０８）、印刷管理部１２に対して印刷するデータが格納されている印刷データ格納エリアの開始アドレスを通知して印刷開始を指示する（Ｓ２０９）。その後印刷データ受信テーブル１０から該当するレコードを削除し（Ｓ２１０）、ステップＳ２０４に戻り、印刷要求受付管理部７からの印刷データ受信指示待つ。
なお、このフロー図には示していないが、印刷管理部１２は印刷データ受信管理部９から印刷データ格納エリアの開始アドレスと印刷開始指示を受け取り、当該アドレスよりデータを読み出して印刷を開始する。
【００３３】
ステップＳ２０５において、携帯端末２（２）からの印刷データ受信を指示されたときは（Ｓ２０５、ＹＥＳ）、印刷データ受信管理部９は、携帯端末２（１）からの印刷データ受信を中断し（Ｓ２１１）、その状態のまま、携帯端末２（２）からの印刷データ受信を開始する（Ｓ２１２）。携帯端末２（２）から全ての印刷データを受信したときは（Ｓ２１３、ＹＥＳ）、既に述べたステップＳ２０８〜Ｓ２１０の処理を実施し、ステップＳ２０４に戻り既に述べた以降の処理を繰り返す。
【００３４】
本実施形態では、ステップＳ２１０での処理（データ受信完了レコードの削除）終了後、ステップＳ２０４で印刷要求受付管理部７からの印刷データ受信開始指示待ちを行っているが、印刷データ受信管理部９自身が既に次の印刷データ受信待ちの携帯端末２（１）が存在することを把握しているため、そのまま次の携帯端末２（１）からの印刷データ受信を再開してもよい。
【００３５】
なお、本実施形態では携帯端末２（１）又は２（２）からの全ての印刷データを受信後（Ｓ２０７、ＹＥＳ又はＳ２１３、ＹＥＳ）、ステップＳ２０９で印刷管理部１２への印刷指示を行っているが、必ずしも印刷データの受信完了順に印刷を開始する必要はなく、例えば本実施形態のように携帯端末２（１）、２（２）の印刷データ受信の優先度を携帯端末２（２）、２（１）の順に変更した場合でも、印刷を開始する順番は電源供給デバイス情報の受信順序である携帯端末２（１）、２（２）の順番で印刷してもよく、そのいずれかを選択する手段（又は切り替える手段）としてユーザインタフェースを持つことで、オペレータが印刷出力順序を決めてもよい。
【００３６】
以上、本発明の実施形態について説明したが、本実施形態によれば、携帯端末からの印刷データ送信前に携帯端末自身の電源供給デバイス情報を送信することで、画像処理装置は、他の携帯端末からのデータ受信中においても、その受信中データの送信元携帯端末の電源供給デバイス情報と、その後に受信した携帯端末の電源供給デバイス情報とを比較し、バッテリ容量の少ない携帯端末からのデータ受信を優先するので、携帯端末のバッテリ切れによる印刷データ送信中断のリスクを低減することができる。
【００３７】
また、受信中のデータの受信残量が所定の閾値未満であるとき、例えば後数秒で受信が完了する場合等においては、当該携帯端末からの受信を中断することなく継続する。そのため、徒に受信動作を中断させることがなく、つまり無駄な切替処理を行うことがなく効率的に印刷データの受信を行うことができる。また、前記閾値はユーザがユーザインタフェースを用いて適宜変更可能である。
【００３８】
つまり、本実施形態によれば、印刷データのバッテリ切れによる受信中断のリスクを低減させつつ、複数の携帯端末から効率的な受信動作を得ることができる。
さらに、印刷出力を、印刷データの受信完了順に関係なく、受信順序で行うことで印刷順序の整列性を維持できる効果がある。
【符号の説明】
【００３９】
１・・・画像処理装置、２（１）、２（２）・・・携帯端末、３・・・プリンタドライバ、４・・・ネットワークＩ／Ｆ部、５・・・電源供給デバイス情報受信用ネットワークポート、６・・・印刷データ受信用ネットワークポート、７・・・印刷要求受付管理部、８・・・受付情報テーブル、９・・・印刷データ受信管理部、１０・・・印刷データ受信テーブル、１１・・・印刷データ格納部、１２・・・印刷管理部。
【先行技術文献】
【特許文献】
【００４０】
【特許文献１】特開２００６−１５７１４７号公報
【図１】
2014037094.tif 000003
【図２】
2014037094.tif 000004
【図３】
2014037094.tif 000005
【図４】
2014037094.tif 000006
【図５】
2014037094.tif 000007